(57)【特許請求の範囲】
【請求項１】
縦、横、高さ方向に立体格子状に施設された移送軌道及び固定桟により形成された立体格子状のスペース区画の少なくとも一箇所に空スペースを有して、格納ケージを複数個配置し、この格納ケージに伸縮自在に装備された、軌道結合子は移送軌道へ着脱自在に結合し、桟固定子は固定桟に脱着自在に結合して、この移送軌道の動きに従って往復移送し、目的の収納区画で停止保持する立体ケージ出納システムであって、前記各移送軌道と各軌道結合子及び、各固定桟と各桟固定子との結合手段及び固定手段が、前記縦、横、高さ方向のいずれか一対のみの排他的結合により目的方向に移送される事を特徴とする格納ケージを三次元格納区画に自在に出納するシステム。
【請求項２】
各移送軌道が、それぞれ往路用と復路用からなり、この往路用移送軌道と復路用移送軌道と軌道結合子の結合が、排他的な一方結合である結合手段を有する事を特徴とする請求項１記載の格納ケージを三次元格納区画に自在に出納するシステム。
【発明の詳細な説明】
【技術分野】
【０００１】
本発明は格納ケージやパレットに格納、搭載した荷物を立体的に収納保管する立体収納システムであり、この格納ケージやパレットを縦横上下に自在に三次元移送して、目的の収納区画に出納、保管したり、入出庫する三次元出納システムである。
【０００２】
本発明を大規模に構成すれば、例えばサテライト貨物集配システムに利用可能であり、中規模に構成すれば例えばコインロッカーシステムになり、小規模に構成すれば例えば自動販売機等に使用される。
【背景技術】
【０００３】
従来、立体倉庫システムと称して、荷物を格納ケージに入れて多数階の棚等に出納保管する立体倉庫は種々提案されている。これらの格納ケージを他階に出納する際には、一旦昇降装置が設置された特定箇所まで移送し、この昇降装置で目的階まで昇降していたため、移動に時間がかかっていた。また、この昇降装置の設置空間は移送のためにだけ使われ、保管用のスペースに供されないので収納効率が悪かった。（例えば  特許文献１参照）                                             
その他、書籍等を保管箱に入れ、これを高さ方向の多段棚を多数個配列し、これを移動して通路空間を確保して出納するシステム等があったが、この様なシステムに於いては大規模な走行装置等が必要であり、この走行装置が走行するスペースが必要であった。
【０００４】
三次元に配列された格納区画に格納ケージを配置して、これを特定の昇降装置や走行装置を使う事無く、縦横高に自在に移動させて目的区画に出納して入出庫する立体倉庫システムやロッカーシステムがあれば便利であるが、その様な発想の三次元出納システムは皆無であった。
【先行技術文献】
【特許文献】
【０００５】
【特許文献１】特開平６−１５６６１５号公報
【発明の開示】
【発明が解決しようとする課題】
【０００６】
本発明は、従来の様に特定箇所に設置している昇降装置を経由したり、移送のために通路空間を空ける機構や操作を不要にして、多層階に亘る三次元移送を自在に行う事により、収納時間の短縮と収納空間の有効利用を行うものである。
【０００７】
本発明は縦横高の三次元に駆動系を配置して、これににより形成される立体格子空間を出納区画にして、荷物を格納した格納ケージを配置し、この駆動系に沿って自在に三次元移動させて出納するものであり、この格納ケージを当該収納区画からそのまま昇降したり縦横に移送したりして、目的の階の目的区画に自在に移送して最短ルートでの出納、入出庫を可能にするものである。
【課題を解決するための手段】
【０００８】
荷物を格納した格納ケージやパレット（以下格納ケージと称す）を移送するための移送軌道とこれを固定保持するための固定桟を、東西、南北、高さ方向に施設し、これにより形成される三次元の格子状区画に、図１に示す様に少なくとも一カ所の空きスペースを設けて、多数個の格納ケージを配置し、この空きスペースに格納ケージを順送りして、次々と空きスペースを移動し、格子区画内の任意区画に移送して入出庫を行う。
【０００９】
格納ケージを移送する際には、この格納ケージに具備する軌道結合子を、対応する移送軌道に結合して移送するのであるが、この結合は、当該移送方向の結合のみが行われ、他の結合は行われない排他的結合であり、これにより目的方向移送に際して他の移送軌道と衝突する事が無い。
そして目的方向に移送して目的の区画に到達した格納ケージを当該位置で停止させるために、結合子のに具備する桟固定子で案内固定桟に係止させて当該位置に懸架保持する。
【００１０】
格納ケージを停止させたあと、軌道結合子を収縮させる。これは、軌道結合子が他の移送軌道との衝突を避けるためである。そして次なる方向に移送するために目的方向の軌道結合子を伸張して移送軌道と結合させたあと、案内固定桟に係止している現在の桟固定子の係止を解消して移送可能にし、この移送軌道を動作させて目的方向に移送する。そしてこの操作を、東西、南北、上下方向にそれぞれ適宜行って、目的の格納ケージを最短ルートで出納するのである。
【発明の効果】
【００１１】
多階層の大規模倉庫に於いて、縦横上下に自在な三次元移送を行い、最短ルートで入出庫を迅速に行う事が出来る。
コインロッカーに於いては、図９に示す様に、人間工学的に最適な位置にだけ出納口を設け、この箇所から適宜、左右上下隅の格納区画に移送することにより、従来のコインロッカーの様に、利用頻度が低いデッドスペースを無くす事が出来る。
動販売機に於いては、従来の様に、画一化した飲み物等の利益率の低い商品ではなく、高価な商品の他品種少量販売が行える。
【００１２】
本発明は主に人間が運ぶ程度の重さのものを想定しているが、螺旋軌条や軌道結合子の材質や機構を適宜選択して、自動車等の重量物を支承するに足る構造にすれば、三次元立体駐車場が実現出来る可能性もある。
【図面の簡単な説明】
【００１３】
【図１】東西南北上下の移送軌道により２７個の格納空間が形成され、一カ所の空きスペースを有して格納ケージが配置されている斜視図
【図２】空きスペースに格納ケージを移送して新たな空きスペースが形成された図
【図３】視点Ａから見た正面図
【図４】結合桿が収縮して結合子が格納スリーブに収納されている図
【図５】南北軌道と南北結合子が対結合している斜視図
【図６】結合桿が伸縮して結合子を移送軌道に押しつけ結合している図
【図７】南北螺旋軌道に南北螺旋軌道噛合子が噛合している図
【図８】南北固定桟に南北固定子が噛合している図
【図９】螺旋軌道が順方向と逆方向の２つを具備し、排他的結合されている図
【図１０】本発明をコインロッカーに適用した図
【発明を実施するための形態】
【００１４】
以下、全ネジ螺旋軌条の移送軌道と、この背面を半鞘状に一体的覆う固定桟からなる軌道が東西３行×南北３列×上下３階配列され、これにより形成された格納スペースに格納ケージを配置し、格納ケージに具備する各軌道結合子と各固定子が、各螺旋軌条と各案内固定桟に結合して、この格納スペース内を東西南北上下に自在移送するロッカーシステムの例について説明する。
【００１５】
図１に示す様に、それぞれ９本の、東西軌道２００、南北軌道３００、上下送軌道４００により２７個の格納スペースが形成され、この格納スペースに、一カ所の空きスペースＳを残して２６個の格納ケージ１００が配置されている。
【００１６】
図２に示す様に、この空きスペースＳに格納ケージ１００を移送する事により、これを移送した区画が新たな空きスペースＳ’となる。この様にして任意の格納ケージ１００を縦横、上下自在に順送りして新たに空きスペースＳを発生させ、この空きスペースＳに更に格納ケージを移送する。この移送→新たな空きスペースの発生→この新たな空きスペースへの移送・・・の操作を適宜実行する事により、目的の格納区画に格納ケージを移送する事が出来る。
【００１７】
図２に於いては、空きスペースが一カ所であるが、格納ケージ１００を少な目に配置して空きスペースを複数形成した際には、この複数の空きスペースを選んで、格納ケージを複数個同時移送する事が可能なので、より迅速な出納が可能になる。
【００１８】
図３は本発明を東西方向正面（図１のＡ方向）から見た図である。図示する最上段最左区画の格納ケージ１００は南北軌道３００に結合して南北移送されようとしている図である。この時、この区画以外の各格納ケージ１００は直前の移送状況によりいずれか軌道にランダムに固定されている。
【００１９】
軌道結合子が軌道と非結合の時には、図４に示す様に結合桿が格納スリーブに格納されて格納ケージに引き付けられている。結合時には、図５に示す様に結合桿が伸張して結合子が軌道に押しつけられる。
【００２０】
図６は南北螺旋軌道３１０と、格納ケージ１００から伸張した南北軌道結合子１３０が南北対結合している例であが、この対結合以外の他の軌道結合子は非結合である。この当該対結合だけの排他的対結合により、南北方向の移送に際し、他の軌道結合子が移送軌道と衝突する事無く移送する事が可能になるのである。
【００２１】
図６に於いて、南北軌道結合子１３０は南北結合桿１３７の伸張により南北螺旋軌道３１０に押しつけられているのであるが、このあと図７に示す様に、南北螺旋軌道噛合子１３５を南北結合力エンジン１３２により南北螺旋軌道３１０に押圧する事によりこれに噛合し、南北方向の移動力を獲得するのである。  
【００２２】
この時、南北桟固定子１３６を中程度伸張して案内溝３５６に嵌入させる事により、南北結合子１３０は摺動可能に３点支持（両案内溝の嵌合と螺旋軌条との噛合）されるので、これにより格納ケージ１００は安定的に懸架されつつ、この南北螺旋軌道３１０の回転方向に応じて、目的方向に移送されるのである。
【００２３】  目的の空きスペース区画に格納ケージ１００を移送した後、図８に示すように当該区画で停止保持するため、南北螺旋軌道噛合子１３５を南北結合力エンジン１３２で収縮させて、南北螺旋軌道３１０との噛合を解消すると同時に、南北桟固定子１３６を南北結合力エンジン１３２で全伸張させる事により、両方の案内溝３５６の底部に南北桟固定子１３６が強く圧着されて、この南北軌道結合子１３０が南北固定桟３５０に固定され、当該格納ケージ１００は当該区画で停止保持されるのである。
【００２４】
そして、この固定保持状態から、格納ケージ１００を東西移送するには、東西結合桿１２７を伸張して東西軌道結合子１２０を東西螺旋軌道２１０に結合する。この際、南北固定桟３５０と南北桟固定子１３６は対結合されたままとなり、この時に於いてのみ一時的に非排他的結合となるが、双方の螺旋軌道噛合子１３５、１２５は無効であり、螺旋軌条に噛合していないので双方の駆動力は格納ケージには伝わらないので、当該状態を保持し続ける。
【００２５】
この後、東西桟固定子１２６を有効にして東西固定桟２５０に固定保持すると同時に南北桟固定子１３６を無効にする。この時点で格納ケージ１００は東西固定桟２５０だけに固定保持されるので、この後東西螺旋軌道噛合子１２５を有効にすると同時に、東西固定子１２６を無効にして格納ケージ１００を東西方向に移送する。
【００２６】
格納ケージを上下に移送するには、上記説明したと同様要領で、当該格納ケージの現在の固定保持状態を保ったまま、上下軌道に結合して、そのあと現在の固定保持を解消してから上下螺旋軌道噛合子を有効にして、目的方向に移送する。
【００２７】
以上説明したような要領で任意の格納ケージを、目的の移送軌道に結合して、直前に移送されて空きスペースになった格納区画に移送する。この様な移送を適宜繰り繰り返し行い、空きスペース区画に格納ケージを順送りして、入出庫箇所まで移送する。
【００２８】
この移送手順は、いわゆる１５ゲームと呼称され、盤面上に１箇所の空きスペースを設けて１５個の番号を記載した駒を適宜移動して昇順又は降順に並べるこのゲームの言わば立体版である。
この１５ゲームと同様に、格納ケージを移動して新たに発生した空きスペースに隣接するいずれの格納ケージをこの空きスペースに移送すればより早く出納、入出庫が行えるかをコンピューター等でシュミレーションして、最短移送ルートこの順送りを実行する。
【００２９】
以上の説明に於いては、各移螺旋軌道の駆動力源は一系統であり、モーターＭの回転方向を切り替える事により、移送方向を順逆方向に切り替えて移送するのであるが、格納ケージの配置総数が多く、空きスペースを複数設ける場合等に於いては、同一の移送方向に対して順方向用と逆方向用の２本の螺旋軌条にして、格納ケージをこの双方向の移送軌道の一方に、排他的に対結合すれば、複数の格納ケージを同時に順方向と逆方向の両方向に移送する事が可能になるので、入出庫を更に短時間で行う事が可能になる
図９はそのように順逆両方向の移送軌道を有する南北移送軌道の結合例を示している。北方向螺旋軌道３１３と南方向螺旋軌道３１４の２系統の螺旋軌道が併設され、これに結合する北方向用結合子１３３と南方向用結合子１３４は、どちらか一方が結合してる際には、他方は非結合である排他的結合がなされる。図９に於いては、北方向螺旋軌道３１３と北方向用結合子１３３が結合して北方向に格納ケージ１００を移送しようとしていて、南方向螺旋軌道３１４と南方向用結合子１３４が非結合になっている。この格納ケージ１００を南移送するには、北方向螺旋軌道３１３と北方向用結合子１３３の結合を解消し、南方向螺旋軌道３１４と南方向用結合子１３４を結合する。
【００３０】
上記説明に於いては、移送軌道が螺旋軌条であり、格納ケージの固定保持手段が軌道結合子と併設した例について述べたが、格納する荷物の重量によって最適な方式の移送軌道を選択してもよく、例えば、移送軌道がベルト式のものやチェーン式等も考えられ、又、格納ケージを移送する手段と固定する手段とを別に設置する事も考えられる。
【符号の説明】
【００３１】
１００    格納ケージ
１２０    東西軌道結合子
１２２    東西結合力エンジン
１２５    東西螺旋軌道嵌合子
１２６    東西桟固定子
１２７    東西結合桿
１２８    東西収納スリーブ
１３０    南北軌道結合子
１３２    南北結合力エンジン
１３３    北方向用結合子
１３４    南方向用結合子
１３５    南北螺旋軌道嵌合子
１３６    南北桟固定子
１３７    南北結合桿
１３８    南北収納スリーブ
１４０    上下軌道結合子
１４２    上下用結合力エンジン
１４５    上下螺旋軌道嵌合子
１４６    上下桟固定子
１４７    上下結合桿
１４８    上下収納スリーブ
２００    東西軌道
２１０    東西螺旋軌道
２５０    東西固定桟
２５６    東西案内固定溝
３００    南北軌道
３１０    南北螺旋軌道
３１３    北方向螺旋軌道
３１４    南方向螺旋軌道
３５０    南北固定桟
３５６    南北案内固定溝
４００    上下軌道
４１０    上下螺旋軌道
４５０    上下固定桟
４５６    上下用案内固定溝
【図１】
0005658111.tif 000002
【図２】
0005658111.tif 000003
【図３】
0005658111.tif 000004
【図４】
0005658111.tif 000005
【図５】
0005658111.tif 000006
【図６】
0005658111.tif 000007
【図７】
0005658111.tif 000008
【図８】
0005658111.tif 000009
【図９】
0005658111.tif 000010
【図１０】
0005658111.tif 000011